(57)【要約】【課題】節水と省エネルギを兼ね備えながら、従来の温泉や風呂とは異なる浴槽を提供する。【解決手段】浴槽は、流動性液体と、流動性液体が拡散しないように設けられる膜と、前記膜を介して前記流動性液体と分離された第二の流動性液体とが容器に入れられる。前記膜は、浴槽の辺縁に固着され、前記膜は、前記流動性液体が流れるように容器の底面に対して傾斜して固着され、前記浴槽は、前記膜上の前記流動性液体を排出するための排出口を有し、前記膜は、前記流動性液体を封入する。前記流動性液体と前記第二の流動性液体は、透明である。【選択図】図１
2014079358.tif 000002
【特許請求の範囲】
【請求項１】
流動性液体と、流動性液体が拡散しないように設けられる伸縮性のある膜と、前記膜を介して前記流動性液体と分離された第二の流動性液体とが入れられた浴槽。
【請求項２】
前記膜は、浴槽の辺縁に固着されたことを特徴とする請求項１記載の浴槽。
【請求項３】
前記膜は、前記流動性液体が流れるように容器の底面に対して傾斜して固着されることを特徴とする請求項２記載の浴槽。
【請求項４】
前記浴槽は、前記膜上の前記流動性液体を排出するための排出口を有することを特徴とする請求項３記載の浴槽。
【請求項５】
前記膜は、前記流動性液体を封入することを特徴とする請求項１記載の浴槽。
【請求項６】
前記流動性液体と前記第二の流動性液体は、透明であることを特徴とする請求項１記載の浴槽。
【請求項７】
前記排出口は、浴槽の側面に設けられることを特徴とする請求項４記載の浴槽。
【発明の詳細な説明】
【技術分野】
【０００１】
本願発明は、複数の流動性液体が入れられた浴槽に係り、特に両者が伸縮性のある膜によって分離されている浴槽に関する。
【背景技術】
【０００２】
近年、エネルギーの重要性が広く認識されて、エネルギーの安全で安定した供給の必要性が求められるとともに、より省エネルギーを促進させることの必要性が求められている。
【０００３】
日常生活で、水やエネルギーを多く使用するものとして風呂の利用があげられる。水の量であれば１日で２〜３×１０５ｃｍ３必要であり、ガスの量でいえば２．３×１０５ｃｍ３が必要となる。これが繰り返されることで水やエネルギーを多く使用されることに疑いはない。また、災害時は水やエネルギーは貴重な存在であり、ますます水やエネルギーの使用量を大幅に削減する必要が生ずる。
【０００４】
例えば、浴槽における節水並びに、風呂のお湯の保温を図るために特許文献１が提案されている。
【先行技術文献】
【特許文献】
【０００５】
【特許文献１】特開２０１０−２７９６５８号公報
【発明の概要】
【発明が解決しようとする課題】
【０００６】
ところで、特許文献１における風呂用座布団を利用することで節水される量は、浴槽におけるお湯の体積の半分以下であり、必ずしも十分な節水となってはいなかった。
【０００７】
本発明は上記の事情に鑑みてなされたものであり、前記の課題を解決すべく、ゴム又はビニルのような膜状のもので水等の第一の流体物をジェル等の第二の流体物と分離し、少量の水である第一の流体物と大量のジェルである第二の流体物とからなる、新たな風呂を形成する浴槽を提供することで、節水と省エネルギを兼ね備えながら、従来の温泉や風呂とは異なる浴槽を提供することを目的とする。
【課題を解決するための手段】
【０００８】
上記の課題を解決する本発明に係る浴槽は、流動性液体と、流動性液体が拡散しないように設けられる伸縮性のある膜と、前記膜を介して前記流動性液体と分離された第二の流動性液体とが入れられている。
【０００９】
前記膜は、浴槽の辺縁に固着され、前記膜は、前記流動性液体が流れるように容器の底面に対して傾斜して固着され、前記浴槽は、前記膜上の前記流動性液体を排出するための排出口を有し、前記膜は、前記流動性液体を封入する。前記流動性液体と前記第二の流動性液体は、透明である。
【発明の効果】
【００１０】
本願発明により、風呂を沸かすたびに大量の水又は湯を消費し、次回また新たな水や湯を使用しないことで、大幅な節水を行うことができる。また、より比熱が大きく熱容量の大きな流体物を用いることでエネルギー消費の少ない風呂を提供することができる。さらに、複数の流体物を用いる風呂により、従来と異なる感触の新しい風呂の提供が可能になる。またさらに、伸縮性のある膜を通して第二の流体の圧力によって身体に与える体圧を高めるため、その後に浴槽から出た後に体圧から解放される心地よい緊張と弛緩によって、全身の血流を促すため細胞の活性化も期待することも可能になる。
【図面の簡単な説明】
【００１１】
【図１】本発明の第１の実施例からなる第一の流動性液体であるお湯と第二の流動性液体であるジェル等とが膜によって分離される浴槽の実施例を示す構成図である。
【図２】本発明の第１の実施例からなる第一の流動性液体であるお湯と第二の流動性液体であるジェル等とが膜によって分離される浴槽の実施例を示す構成図であって、手を入れた際の構成図である。
【図３】本発明の第１の実施例からなる第一の流動性液体であるお湯と第二の流動性液体であるジェル等とが膜によって分離される浴槽の実施例を示す構成図であって、人体が湯船に浸かった際の構成図である。
【図４】本発明の第２の実施例からなる第一の流動性液体であるお湯と第二の流動性液体であるジェル等とが膜によって分離される浴槽であって、特に第二の流動性液体であるジェル等が前記膜に全て被覆された場合の実施例を示す構成図である。
【図５】本発明の第２の実施例からなる第一の流動性液体であるお湯と第二の流動性液体であるジェル等とが膜によって分離される浴槽であって、特に第二の流動性液体であるジェル等が前記膜に全て被覆された場合の実施例を示す構成図であって、手を入れた際の構成図である。
【図６】本発明の第２の実施例からなる第一の流動性液体であるお湯と第二の流動性液体であるジェル等とが膜によって分離される浴槽であって、特に第二の流動性液体であるジェル等が前記膜に全て被覆された場合の実施例を示す構成図であって、人体が湯船に浸かった際の構成図である。
【図７】本発明の第３の実施例からなる第一の流動性液体であるお湯と第二の流動性液体であるジェル等とが膜によって分離される浴槽であって、特に排水を湯船１０４の外部に設けた場合の実施例を示す構成図である。
【図８】本発明の第３の実施例からなる第一の流動性液体であるお湯と第二の流動性液体であるジェル等とが膜によって分離される浴槽であって、特に排水を湯船１０４の外部に設けた場合の実施例を示す構成図であって、手を入れた際の構成図である。
【図９】本発明の第３の実施例からなる第一の流動性液体であるお湯と第二の流動性液体であるジェル等とが膜によって分離される浴槽であって、特に排水を湯船１０４の外部に設けた場合の実施例を示す構成図であって、人体が湯船に浸かった際の構成図である。
【発明を実施するための形態】
【００１２】
本発明の実施の形態について実施例に沿って説明する。
【実施例１】
【００１３】
図１に示すように、本発明の第１の実施例に係る浴槽２は、天板が解放された直方体の湯船４に、上層には第一の流動性液体であるお湯６と、伸縮性のある透明な膜８が設けられる。ここで、この膜８は、湯船４の側壁１０、１２に液密状に固着されている。
【００１４】
湯船４の内部には、最も深い底面１４の一部に底面を高くした段部１６が設けられる。段部１６と底面１４のそれぞれ中心に排出口１８，２０が開口され、それぞれは栓２２、２４によって密閉される。ここで、膜８は側壁１０と段部１６とに密着固定されるが、側壁１０の固着点は段部１６の固着点より底面１４からの高さが高く密着固定される。膜８上の水を全て排出口１８に流すことができる。排出口１８は、排水管２６と連結され、さらに水平にのびる排水管２８に連結される。
【００１５】
一方、排出口２０は、排水溜まり３０から排水管２８に連結される。
【００１６】
この時に膜８の底面１４に対する斜度は、０．５度から５度の範囲であって好適には１度程度が望ましい。また、膜８が浴槽の側壁に全周に渡って固着されるため、お湯６が膜８の下部に流れることはない。
【００１７】
膜８の固着させる高さでもある段部１６の高さは、側壁１０の高さの１０分の９程度とする。この高さとすることにより、膜より上に満たされるお湯の消費量は湯船４の容量の１０分の１となる。すなわち、湯の消費量は同一の高さの浴槽全体に湯を満たした場合と比較して１０分の１となる。この場合、湯量の使用量が少ないため、はいる人ごとに湯を全交換したとしても、浴槽全体の湯を交換することに比べたら経済的な損失が小さい。
【００１８】
浴槽を清掃する際においても、清掃する範囲が削減される。さらに、清掃時の姿勢として、浴槽深部の清掃が不要であることから、清掃時に屈む必要性が無くなり、清掃時の清掃者の負担が軽減される。
【００１９】
膜８の下には、第二の流動性液体である透明なジェル３２が充填されている。この時、湯６、膜８、ジェル３２の屈折率がほぼ等しいことが好ましい。ジェル３２はより熱伝導率の高いジェルとすることで、浴槽２から温めることで、お湯の保温を図ることができる。
【００２０】
第一の流動性液体であるお湯６と、第二の流動性液体であるジェル３２を加熱するために、図示しない電源と接続された電熱線３４が、側壁１０、１２と段部１６内に複数本が、周囲全体に渡り、埋め込まれている。
【００２１】
続いて、この浴槽２に手を挿入した場合について図２を用いて説明する。手が湯６を通過し、膜８を押圧すると、膜８が伸長し、ジェル３２を押し分け、手の形状に膜８がジェル３２側に凹む。この時の手は、お湯同様に膜８を介して温度や圧力を体感し、通常の風呂や温泉とは異なる感触を体験する。
【００２２】
さらに、この浴槽２に人体が浸かった場合について図３を用いて説明する。
【００２３】
人体が浴槽に足から浸かり、膜８を押圧すると、膜８が伸長し、ジェル３２を押し分け、人体の形状に膜８がジェル３２側に凹む。この時の人体は、お湯同様に膜８を介して温度や圧力を体感し、通常の風呂や温泉とは異なる感触を体験する。
【実施例２】
【００２４】
続いて、図４に示すように、本発明の第２の実施例に係る浴槽４２は、伸縮性のある透明な膜４６と湯船４４とが固着しないことに特徴を有する。
【００２５】
すなわち、浴槽４２は、天板が解放された直方体の湯船４４に、上層には第一の流動性液体であるお湯６と、伸縮性のある透明な膜４６に包まれたジェル４８が設けられる。透明な膜４６に包まれたジェル４８は湯船４４と全側面と底面で密着するように配置される。ジェル４８は膜４６に包まれているためお湯６と混ざることはない。
【００２６】
湯船４４の内部には、最も深い底面５０の他に段部５２が設けられる。段部５２と底面５０のそれぞれ中心に排出口５４，５６が開口され、それぞれは栓５８、６０によって密閉される。膜４６に包まれたジェル４８上の水を全て排出口５６に流すことができる。排出口５６は、排水管６６と連結され、さらに水平に延びる排水管６２に連結される。
【００２７】
一方、排出口５４は、排水溜まり６４から排水管６２に連結される。
【００２８】
膜４６に包まれたジェル４８の高さは、段部５２の高さより若干高くなるように設定される。この段部の高さは、側壁６８の深度の１０分の１程度で良い。この高さとすることによりお湯の消費量は同一の高さの浴槽と比較して１０分の１となる。この場合、湯量の使用量が少ないため、入る人ごとに湯を全交換しても経済的な損失が小さい。また、使用時ごとに湯の交換による洗浄が可能なため、衛生面での清潔性の維持が容易である。
【００２９】
実際に浴槽を清掃する場合においても、清掃する範囲が削減される。さらに、清掃時の姿勢として、浴槽深部の清掃が不要であることから、清掃時に屈む必要性が無くなり、清掃時の清掃員の負担が軽減される。
【００３０】
膜４６の中には、第二の流動性液体である透明なジェル４８が充填されている。この時、湯７２、膜４６、ジェル４８の屈折率がほぼ等しいことが好ましい。ジェル４８はより熱伝導率の高いジェルとすることで、浴槽４２から温めることで、お湯の保温を図ることができる。
【００３１】
第一の流動性液体であるお湯７２と、第二の流動性液体であるジェル４８を加熱するために、図示しない電源と接続された電熱線７４が、側壁６８、７０と段部５２内に複数本が、周囲全体に渡り、埋め込まれている。
【００３２】
続いて、この浴槽４２に手を挿入した場合について図５を用いて説明する。手が湯７２を通過し、膜４６を押圧すると、膜４６が伸長し、ジェル４８を押し分け、手の形状に膜４６がジェル４８側に凹む。この時の手は、お湯同様に膜４６を介して温度や圧力を体感し、通常の風呂や温泉とは異なる感触を体験する。
【００３３】
さらに、この浴槽４２に人体が浸かった場合について図６を用いて説明する。
【００３４】
人体が浴槽に足から浸かり、膜４６を押圧すると、膜４６が伸長し、ジェル４８を押し分け、人体の形状に膜４６がジェル４８側に凹む。この時の人体は、お湯同様に膜４６を介して温度や圧力を体感し、通常の風呂や温泉とは異なる感触を体験する。
【００３５】
ここで、膜８，５８は、透明性を有する点で、シリコーン樹脂、ＰＶＣ（ポリ塩化ビニル）樹脂、完全水添スチレン系エラストマ（ＳＥＢＳ）、ウレタン樹脂が望ましく、透明性が担保される場合は、それらの樹脂による繊維であってもよい。
【００３６】
また、ジェルは、ウレタンジェル、エラストマーゲル状物質、ＳＥＢＳ（スチレン−エチレン−ブチレン−スチレンブロック共重合エラストマ）ゴム、シリコンゲル等のいずれかで構成される。また、ジェルの代わりに、水、エタノール、メタノール等の液体を用いる場合もある。
【実施例３】
【００３７】
続いて、図７に示すように、本発明の第３の実施例に係る浴槽１０２は、排水を湯船１０４の外部に設けることに特徴を有する。
【００３８】
すなわち、浴槽１０２は、舟形の湯船１０４に、上層には第一の流動性液体であるお湯１０６と、伸縮性のある透明な膜１０８が設けられる。ここで、この膜１０８は、湯船１０４の側壁１１０、１１２に液密状に固着されている。
【００３９】
湯船１０４の内部には、最も深い底面１１４に排出口１２０が開口され、それぞれは栓１２４によって密閉される。
【００４０】
一方、膜１０８は側壁１１０と側壁１１２とに密着固定されるが、側壁１１０の固着点は側壁１１２の固着点より底面１１４からの高さが低く密着固定される。この側壁１１０の固着点より上部に側壁に垂直に排出口１１６が開口される。通常この排出口１１６は、栓１２２によって密閉される。
【００４１】
この排出口１１６は、膜１０８の上に溜まったお湯１０６を排水する場合は、栓１２２を取り除けば、側壁１１２の固着点より側壁１１０の固着点が低いため排出口１１６から排水できる。
【００４２】
排出口１１６は、排水溜まり１１８に連結される。この排水溜まり１１８から鉛直下向きに排水管１２６が配管され、浴槽１０２の底下で水平方向の排水管１２８に連結される。
【００４３】
一方、排出口１２０は、直接排水管１２８に連結される。
【００４４】
この時に膜１０８の底面１１４に対する斜度は、０．５度から５度の範囲であって好適には１度程度が望ましい。また、膜１０８が浴槽の側壁に全周に渡って固着されるため、お湯１０６が膜１０８の下部に流れることはない。
【００４５】
膜８の固着させる高さでもある排出口１１６の高さは、側壁１１０の高さの１０分の９程度とする。この高さとすることにより、膜より上に満たされるお湯の消費量は湯船１０４の容量の１０分の１となる。すなわち、湯の消費量は同一の高さの浴槽全体に湯を満たした場合と比較して１０分の１となる。この場合、湯量の使用量が少ないため、入浴する人ごとに湯を全交換したとしても、浴槽全体の湯を交換することに比べたら経済的な損失が小さい。
【００４６】
浴槽を清掃する際においても、清掃する範囲が削減される。さらに、清掃時の姿勢として、浴槽深部の清掃が不要であることから、清掃時に屈む必要性が無くなり、清掃時の清掃者の負担が軽減される。
【００４７】
膜１０８の下には、第二の流動性液体である透明なジェル１３２が充填されている。この時、湯１０６、膜１０８、ジェル１３２の屈折率がほぼ等しいことが好ましい。ジェル１３２はより熱伝導率の高いジェルとすることで、浴槽１０２から温めることで、お湯の保温を図ることができる。
【００４８】
第一の流動性液体であるお湯１０６と、第二の流動性液体であるジェル１３２を加熱するために、図示しない電源と接続された電熱線１３４が、側壁１１０、１１２とに複数本が、周囲全体に渡り、埋め込まれている。
【００４９】
続いて、この浴槽１０２に手を挿入した場合について図８を用いて説明する。手が湯１０６を通過し、膜１０８を押圧すると、膜１０８が伸長し、ジェル１３２を押し分け、手の形状に膜１０８がジェル１３２側に凹む。この時の手は、お湯同様に膜１０８を介して温度や圧力を体感し、通常の風呂や温泉とは異なる感触を体験する。
【００５０】
さらに、この浴槽１０２に人体が浸かった場合について図９を用いて説明する。
【００５１】
人体が浴槽に足から浸かり、膜１０８を押圧すると、膜１０８が伸長し、ジェル１３２を押し分け、人体の形状に膜１０８がジェル１３２側に凹む。この時の人体は、お湯同様に膜１０８を介して温度や圧力を体感し、通常の風呂や温泉とは異なる感触を体験する。
【産業上の利用可能性】
【００５２】
本願発明は、一般家庭用の浴槽だけでなく、業務用の浴槽にも適用可能である。さらに、薬湯等への応用が可能である。
【符号の説明】
【００５３】
２  浴槽
４  湯船
６  お湯
８  膜
１０、１２  側壁
１４  底面
１６  段部
１８、２０  排出口
２２、２４  栓
２６  排水管
２８  排水管
３０  排水溜まり
３２  ジェル
３４  電熱線
４２  浴槽
４４  湯船
４６  膜
４８  ジェル
５０  底面
５２  段部
５４、５６  排出口
５８、６０  栓
６２  排水管
６４  排水溜まり
６６  排水管
６８、７０  側壁
７２  湯
７４  電熱線
１０２  浴槽
１０４  湯船
１０６  お湯
１０８  膜
１１０、１１２  側壁
１１４  底面
１２０  排出口
１２４  栓
１１６  排出口
１２２  栓
１２６  排水管
１２８  排水管
１３２  ジェル
【図１】
2014079358.tif 000003
【図２】
2014079358.tif 000004
【図３】
2014079358.tif 000005
【図４】
2014079358.tif 000006
【図５】
2014079358.tif 000007
【図６】
2014079358.tif 000008
【図７】
2014079358.tif 000009
【図８】
2014079358.tif 000010
【図９】
2014079358.tif 000011